(57)【要約】【課題】冷媒管を配置する際の作業負担を低減する。【解決手段】設計支援プログラムは、基準機器及び対象機器となるエアコンの室内機の選択と、これらに繋がる冷媒管の始点の入力を受け付けると、入力された始点の位置に基づき、複数の経路パターンの各々について生成可能か否かを判定する（Ｓ２５０）。そして、生成可能な経路パターンが存在する場合は、該経路パターンを生成し、設計対象の平面図上に該経路パターンを表示する（Ｓ２６０）。そして、ユーザから表示した経路パターンの選択を受け付け（Ｓ２６５）、選択された経路パターンを配置した設計図を生成する。【選択図】図４
2016085565.tif 000002
【特許請求の範囲】
【請求項１】
ユーザからの指示に従い、建設される対象物を上方から見た設計図に、整列された状態で該対象物に配される複数の空調装置の接続口に繋がる冷媒管の経路の始点を配置する配置手段と、
複数の経路パターンに従い、前記設計図上で、前記始点と、各々の前記空調装置の前記接続口とを繋ぐ前記経路を複数生成する生成手段と、
前記生成手段により生成された複数の前記経路を提示する提示手段として、
コンピュータを動作させることを特徴とする設計支援プログラム。
【請求項２】
請求項１に記載の設計支援プログラムにおいて、
前記経路を構成するいずれかの区間と前記空調装置とを繋ぐ区間を枝管区間とすると共に、前記始点に繋がっており、当該区間を起点とする前記枝管区間が設けられる区間を主管区間とし、
前記経路は、直線区間と、方向または配置された高さの異なる複数の前記直線区間を繋ぐ曲線区間とから構成されており、
前記主管区間を構成する前記直線区間は、水平な第１方向と、前記第１方向に直交する水平な第２方向とのうちのいずれかの方向に延びること、
を特徴とする設計支援プログラム。
【請求項３】
請求項１または請求項２に記載の設計支援プログラムにおいて、
前記経路を構成するいずれかの区間と前記空調装置とを繋ぐ区間を枝管区間とすると共に、前記始点に繋がっており、当該区間を起点とする前記枝管区間が設けられる区間を主管区間とし、
前記枝管区間のうち、当該区間を起点とする前記枝管区間が設けられていないものを第１枝管区間とすると共に、当該区間を起点とする前記枝管区間が設けられているもの第２枝管区間とし、
前記生成手段は、前記主管区間及び前記第１枝管区間から構成される前記経路と、前記主管区間、前記第２枝管区間、及び、該第２枝管区間から分岐する前記枝管区間を有する前記経路と、を含む複数の前記経路を生成すること、
を特徴とする設計支援プログラム。
【請求項４】
請求項１から請求項３のうちのいずれか１項に記載の設計支援プログラムにおいて、
前記経路は、直線区間と、方向または配置された高さの異なる複数の前記直線区間を繋ぐ曲線区間とから構成されており、
前記直線区間は、水平な第１方向と、前記第１方向に直交する水平な第２方向とのうちのいずれかの方向に延びており、
前記空調装置と前記第１方向に延びる前記直線区間との間の距離と、前記空調装置と前記第２方向に延びる前記直線区間との間の距離とを、それぞれ、機器離れとし、
前記生成手段は、前記曲線区間の半径が予め定められた最低値以上であるという条件と、前記空調装置に対する前記機器離れが予め定められた最低値以上であるという条件とを満たした状態で、前記経路を生成すること、
を特徴とする設計支援プログラム。
【請求項５】
ユーザからの指示に従い、建設される対象物を上方から見た設計図に、整列された状態で該対象物に配される複数の空調装置の接続口に繋がる冷媒管の経路の始点を配置する配置手段と、
複数の経路パターンに従い、前記設計図上で、前記始点と、各々の前記空調装置の前記接続口とを繋ぐ前記経路を複数生成する生成手段と、
前記生成手段により生成された複数の前記経路を提示する提示手段と、
を備えることを特徴とする設計支援装置。
【発明の詳細な説明】
【技術分野】
【０００１】
本発明は、設計支援プログラム等に関する。
【背景技術】
【０００２】
配管の設計図を作成する配管設計装置において、ユーザからの指示に応じて主管となる配管の経路と被接続機器を配置すると、主管と被接続機器とを繋ぐ配管である枝管を自動配置することが知られている（例えば、特許文献１）。
【先行技術文献】
【特許文献】
【０００３】
【特許文献１】特許第３５６４７９２号公報
【発明の概要】
【発明が解決しようとする課題】
【０００４】
しかしながら、ユーザ自ら主管の経路を配置しなければならず、手間がかかっていた。
本願発明は、冷媒管を配置する際の作業負担の低減を目的とする。
【課題を解決するための手段】
【０００５】
上記課題に鑑みてなされた請求項１に係る発明は、ユーザからの指示に従い、建設される対象物を上方から見た設計図に、整列された状態で該対象物に配される複数の空調装置の接続口に繋がる冷媒管の経路の始点を配置する配置手段と、複数の経路パターンに従い、設計図上で、始点と、各々の空調装置の接続口とを繋ぐ経路を複数生成する生成手段と、生成手段により生成された複数の経路を提示する提示手段として、コンピュータを動作させることを特徴とする設計支援プログラムに関するものである。
【０００６】
このような構成によれば、設計図上に空調装置と始点を配置すると、これらを接続する複数種類の冷媒管の経路が自動配置され、ユーザに提示される。このため、ユーザは、提示された経路の中から自分の要望に合致するものを選択して使用することができ、冷媒管を配置する際の作業負担を低減することができる。
【０００７】
また、請求項２に記載されているように、経路を構成するいずれかの区間と空調装置とを繋ぐ区間を枝管区間とすると共に、始点に繋がっており、当該区間を起点とする枝管区間が設けられる区間を主管区間とし、経路は、直線区間と、方向または配置された高さの異なる複数の直線区間を繋ぐ曲線区間とから構成されており、主管区間を構成する直線区間は、水平な第１方向と、第１方向に直交する水平な第２方向とのうちのいずれかの方向に延びていても良い。
【０００８】
このような構成によれば、冷媒管の経路が複雑化せず、見栄えが良く分かり易い経路を生成することができる。また、冷媒管の経路を自動配置する際の処理負荷を低減することができる。
【０００９】
また、請求項３に記載されているように、経路を構成するいずれかの区間と空調装置とを繋ぐ区間を枝管区間とすると共に、始点に繋がっており、当該区間を起点とする枝管区間が設けられる区間を主管区間とし、枝管区間のうち、当該区間を起点とする枝管区間が設けられていないものを第１枝管区間とすると共に、当該区間を起点とする枝管区間が設けられているもの第２枝管区間とし、生成手段は、主管区間及び第１枝管区間から構成される経路と、主管区間、第２枝管区間、及び、該第２枝管区間から分岐する枝管区間を有する経路と、を含む複数の経路を生成しても良い。
【００１０】
このような構成によれば、ユーザに提示される冷媒管の経路を多様なものとすることができ、ユーザの要望に合致した冷媒管の経路が生成される可能性が高くなる。
また、請求項４に記載されているように、経路は、直線区間と、方向または配置された高さの異なる複数の直線区間を繋ぐ曲線区間とから構成されており、直線区間は、水平な第１方向と、第１方向に直交する水平な第２方向とのうちのいずれかの方向に延びており、空調装置と第１方向に延びる直線区間との間の距離と、空調装置と第２方向に延びる直線区間との間の距離とを、それぞれ、機器離れとし、生成手段は、曲線区間の半径が予め定められた最低値以上であるという条件と、空調装置に対する機器離れが予め定められた最低値以上であるという条件とを満たした状態で、経路を生成しても良い。
【００１１】
このような構成によれば、見栄えが良く分かり易い経路を生成することができる。
また、請求項１に係る設計支援プログラムにより動作するコンピュータに相当する設計支援装置を構成しても良い（請求項５）。このような場合であっても、同様の効果を得ることができる。
【図面の簡単な説明】
【００１２】
【図１】ＰＣのブロック図と、曲線区間，最低取出長，機器離れの説明図である。
【図２】経路パターンの具体例である。
【図３】経路パターンの具体例である。
【図４】自動生成処理のフローチャートである。
【図５】始点判定処理のフローチャートと、室内機周辺の領域についての説明図である。
【図６】経路パターンの生成が可能かどうかの判定についての説明図である。
【図７】経路パターンの生成が可能かどうかの判定についての説明図である。
【図８】経路パターンの生成が可能かどうかの判定についての説明図である。
【図９】経路パターンの生成についての説明図である。
【図１０】経路パターンの生成についての説明図である。
【発明を実施するための形態】
【００１３】
以下、本発明の実施形態について図面を用いて説明する。なお、本発明の実施の形態は、下記の実施形態に何ら限定されることはなく、本発明の技術的範囲に属する限り種々の形態を採りうる。
【００１４】
［構成の説明］
図１（ａ）は、本実施形態における設計支援装置として作動する周知のＰＣ１の構成を示している。ＰＣ１は、ディスプレイ１０，ＨＤＤ２０，ＣＰＵ３０，ＲＯＭ４０，ＲＡＭ５０，入力装置６０等を備える。
【００１５】
ディスプレイ１０は、映像信号に基づき、ＣＰＵ３０等にて生成された映像を表示する。入力装置６０は、キーボード，マウス等から構成され、ユーザから受け付けた操作に応じた信号をＣＰＵ３０に出力する。ＲＯＭ４０は読み出し専用の不揮発性メモリであり、ＨＤＤ２０は読み出し，書き込み可能な不揮発性メモリである。ＲＯＭ４０，ＨＤＤ２０には、ＣＰＵ３０が読み出して実行するプログラム等が予め記憶されている。ＲＡＭ５０は読み出し，書き込み可能な揮発性メモリであり、ＣＰＵ３０がＲＯＭ４０，ＨＤＤ２０に記憶されたプログラムを実行する際に、そのプログラムを一時的に保存したり、作業用のデータを一時的に保存したりするための記憶領域として用いられる。
【００１６】
ＣＰＵ３０は、ＯＳをＨＤＤ２０から読み出して実行し、ＨＤＤ２０に記録されている各種プログラムをＯＳ上のプロセスとして実行する。このプロセスにおいて、ＣＰＵ３０は入力装置６０から信号の入力を受け付け、ディスプレイ１０に表示する映像を生成し、ＲＡＭ５０，ＨＤＤ２０に対してデータの読み出し，書き込みの制御を行う。
【００１７】
ＰＣ１には、本実施形態の設計支援プログラムがインストールされている。設計支援プログラムは、ＨＤＤ２０に保存されており、ＯＳ上のプロセスとして実行されるアプリケーションの１つであり、設計支援プログラムを動作させることで、ＰＣ１は、設計支援装置として稼働する。
【００１８】
［動作の説明］
次に、設計支援プログラムの動作について説明する。以下の説明では、設計支援プログラムが処理を行うといった記載がなされているが、これは、設計支援プログラムに従い動作するＰＣ１のＣＰＵ３０が処理を行うということを意味するのは、言うまでも無い。
【００１９】
設計支援プログラムは、例えば、ビル，家屋等の建築物を建設するための設計図を生成するＣＡＤシステムとして構成されている。設計支援プログラムは、入力装置６０を介してユーザから受け付けた操作に応じて設計図を生成する。該設計図は立体画像となっており、設計図上の各位置は、水平面上の位置を示すｘ，ｙ座標と、高さ方向の位置を示すｚ座標とにより表される。
【００２０】
設計支援プログラムは、ユーザからの指示に応じて、設計図上に、エアコンディショナーを構成する室外機と室内機を配置すると共に、室外機と室内機を繋ぐ冷媒管を自動配置する。この時、設計支援プログラムは、複数の冷媒管の経路のパターンを提示し、ユーザにより選択された経路パターンを採用して作図を行う。
【００２１】
（１）冷媒管の自動配置の概要について
自動配置により冷媒管に接続される各室内機は、以下の接続条件（ア）〜（ウ）を満たす必要がある。
（ア）各室内機は、機種が同一であること。
（イ）各室内機は、平面視すると、列、又は、行列をなした状態で整列して配されていること。換言すれば、各室内機のｘｙ平面上の各位置は、列、又は、行列をなした状態で配されていること。
（ウ）ｘｙ平面上における各室内機の向き（各室内機の冷媒管との接続口の向き）は、同じであること。
【００２２】
自動配置により生成された冷媒管の経路は、主管が配される主管区間と枝管が配される枝管区間とを有している。主管区間とは、冷媒管の経路の始点から延びる区間であって、室内機に繋がっておらず、当該区間を始点とする枝管区間が設けられる区間である。一方、枝管区間とは、他の区間と室内機とを繋ぐ区間である。各枝管区間は、他の区間に設けられた分岐配管を起点として配される。
【００２３】
また、自動配置された冷媒管の経路は、水平な第１方向の直線区間と、第１方向に直交する水平な第２方向の直線区間と、直線区間を繋ぐ曲線区間とから構成されている。なお、第１方向は、室内機の接続口の向きと同じ方向である。また、第１，第２方向は、ｘ軸，ｙ軸と同じ方向であっても良いし、異なる方向であっても良い。また、曲線区間は、中心角が９０°の扇の弧をなす曲線状の区間である。曲線区間１００は、同じ高さに配された異なる方向の直線区間１０１，１０２の端部を繋ぐ際に用いられる（図１（ｂ））。また、２つの曲線区間１１０，１１１により、異なる高さに配された直線区間１１２，１１３の端部を繋ぐことができる（図１（ｃ））。
【００２４】
また、冷媒管を自動配置する際には、主に、予め定められた高さの水平面（配置面）にその経路が設定されるが、該経路は、以下の配置条件（ア）〜（オ）を満たした状態で設定される。
（ア）室内機の接続口には、該接続口の向きに沿って伸びる最低取出長以上の長さの直線区間が接続され、該直線区間の端部に他の区間が接続される。図１（ｄ）は、一例として、室内機１２０の接続口１２１に設定された最低取出長を示している。なお、最低取出長が０の場合には、室内機の接続口に曲線区間の端部を接続することができる。
（イ）第１方向に直交する向きの冷媒管と各室内機との間の第１方向の距離は、第１機器離れ以上であると共に、第２方向に直交する向きの冷媒管と各室内機との間の第２方向の距離は、第２機器離れ以上である。図１（ｅ）は、一例として、室内機１２０の接続口１２１に繋がる冷媒管１２２に設定された第１，第２機器離れを示している。
（ウ）曲線区間の半径が最小Ｒ以上である。
（エ）ｘｙ平面上での直線区間の向きは、第１方向又は第２方向である。
（オ）曲線区間は、ｘｙ平面、第１方向に直交する平面、又は、第２方向に直交する平面に沿って配される。
【００２５】
（２）冷媒管の経路の具体例について
設計支援プログラムは、冷媒管の自動配置を行う際、２種類の冷媒管の経路パターンを生成してユーザに提示する。これらの種類のうちの１つは、当該区間を起点とする枝管区間がない枝管区間（第１枝管区間）と主管区間のみから構成される主管分岐パターンである。もう１つは、当該区間を起点とする枝管区間がある枝管区間（第２枝管区間）と主管区間を有している枝管分岐パターンである。なお、枝管分岐パターンは、第１枝管区間をさらに有していても良い。また、枝管区間と室内機の接続口とを繋ぐ区間を、第３枝管区間と記載する。
【００２６】
冷媒管の経路パターンの具体例について、図２，３を用いて説明する。なお、以後の説明では、図面に向かって右側，左側，下側，上側を、単に、右側，左側，下側，上側と記載する。また、以後の図面では、全て、室内機の接続口が下向きとなっており、図中の上下方向が第１方向、左右方向が第２方向になっている。
【００２７】
図２は、２×２の行列状に配された４つの室内機１３０の左下の位置に始点１３１が設定された場合に生成される４通りの経路パターン１３６〜１３９を示している。
第２主管−主管分岐パターン１３６は、始点１３１から第２方向に沿って延びる主管区間１３２と、主管区間１３２と室内機１３０を繋ぐ第１枝管区間１３３から構成されている。なお、冷媒管の経路が設定される配置面と室内機の接続口が異なる高さに配される場合は、上述したように、２つの曲線区間により接続口と配置面に配された経路とが接続される。第２主管−主管分岐パターン１３６における１３３ａは、このような２本の曲線区間の接続点（換言すれば、冷媒管の経路におけるｚ軸方向を向いている部分）を示している。これ以降の経路パターンの説明図においても同様である。以後、配置面に配された冷媒管と、室内機の接続口とを繋ぐ区間を接続区間とする。
【００２８】
第２主管−枝管分岐パターン１３７は、始点１３１から第２方向に沿って延びる主管区間１３２と、主管区間１３２と室内機１３０を繋ぐ第１枝管区間１３３及び第２枝管区間１３４と、第２枝管区間１３４と室内機１３０を繋ぐ第３枝管区間１３５から構成されている。
【００２９】
第１主管−主管分岐パターン１３８は、始点１３１から第１方向に沿って延びる主管区間１３２と、主管区間１３２と室内機１３０を繋ぐ第１枝管区間１３３から構成されている。
【００３０】
第１主管−枝管分岐パターン１３９は、始点１３１から第１方向に沿って延びる主管区間１３２と、主管区間１３２と室内機１３０を繋ぐ第１枝管区間１３３及び第２枝管区間１３４と、第２枝管区間１３４と室内機１３０を繋ぐ第３枝管区間１３５から構成されている。
【００３１】
また、図３（ａ），（ｂ）は、２×２の行列状に配された４つの室内機１４０の左方であって、上側と下側の室内機の間の位置に始点１４１が設定された場合に生成される２通りの経路パターン１４６，１４７を示している。
【００３２】
第２主管−主管分岐パターン１４６は、始点１４１から第２方向に沿って延びる主管区間１４２と、主管区間１４２と室内機１４０を繋ぐ第１枝管区間１４３から構成されている。
【００３３】
第２主管−枝管分岐パターン１４７は、始点１４１から第２方向に沿って延びる主管区間１４２と、主管区間１４２と室内機１４０を繋ぐ第１枝管区間１４３及び第２枝管区間１４４と、第２枝管区間１４４と室内機１４０を繋ぐ第３枝管区間１４５から構成されている。
【００３４】
また、図３（ｃ），（ｄ）は、２×２の行列状に配された４つの室内機１５０の下方であって、左側と右側の室内機の間の位置に始点１５１が設定された場合に生成される２種類の経路パターン１５６，１５７を示している。
【００３５】
第１主管−主管分岐パターン１５６は、始点１５１から第１方向に沿って延びる主管区間１５２と、主管区間１５２と室内機１５０を繋ぐ第１枝管区間１５３から構成されている。
【００３６】
第１主管−枝管分岐パターン１５７は、始点１５１から第１方向に沿って延びる主管区間１５２と、主管区間１５２と室内機１５０を繋ぐ第１枝管区間１５３及び第２枝管区間１５４と、第２枝管区間１５４と室内機１５０を繋ぐ第３枝管区間１５５から構成されている。
【００３７】
なお、各経路パターンをユーザに提示する際、設計図上の室内機や冷媒管の経路に隣接して、傍記（冷媒管や太さや配置面の高さ等）を表示しても良い。
（３）自動生成処理について
次に、冷媒管の自動配置を行う自動生成処理について、図４のフローチャートを用いて説明する。なお、本処理は、ユーザからの指示に応じて開始される。
【００３８】
Ｓ２００では、ユーザの指示に従い、設計図に配された室内機のうちの１つが基準機器として選択され、Ｓ２０５では、基準機器の情報（配置位置，機種，向き等）が特定される。続いて、ユーザからの指示に従い、設計図に配された室内機のうち、対象機器とするものが選択され（Ｓ２１０）、対象機器の情報（配置位置，機種，向き等）が特定される（Ｓ２１５）。そして、いずれかの対象機器を選択した後にＳ２２０に移行する。
【００３９】
Ｓ２２０では、選択中の対象機器の情報と、基準機器及び他の対象機器の情報とに基づき、選択中の対象機器が上述した接続条件（ア）〜（ウ）を全て満たすか否か判定される。具体的には、選択中の対象機器と基準機器の機種や向きが異なる場合には、接続条件（ア），（ウ）を満たさないと判定しても良い。また、選択中の対象機器が、基準機器及び他の対象機器により構成される列又は行列に含まれていない場合には、接続条件（イ）を満たさないと判定しても良い。そして、否定判定の場合には、選択中の対象機器を冷媒管の接続対象から除外し（Ｓ２２５）、Ｓ２３０に移行する。一方、肯定判定の場合、全ての対象機器についての判定が終了したか否かが判定され（Ｓ２３０）、肯定判定の場合にはＳ２３５に、否定判定の場合にはＳ２２０に移行する。
【００４０】
Ｓ２３５では、基準機器及び対象機器の各々が、これらにより構成される列又は行列のどの位置（何列目、又は、何行目の何列目）に存在するかが特定される。Ｓ２４０では、ディスプレイ１０に表示した設定ダイアログを介して、配管（冷媒管等）の自動配置についての設定項目の入力を受け付ける。なお、一例として、以下の設定項目が設けられていても良い。
（ア）自動配置する冷媒管の種類。なお、本実施形態では、１本のガス管（低圧の冷媒が流れる管）と１本の液管（高圧の冷媒が流れる管）からなる冷媒管と、２本のガス管と１本の液管からなる冷媒管と、１本のガス管からなる冷媒管と、１本の液管からなる冷媒管の４種類が、自動配置可能な冷媒管として設けられている。
（イ）冷媒管が自動配置される配置面の床面からの高さ（ＦＬ）。
（ウ）主管と枝管の太さ。
（エ）配管の用途。なお、冷媒管の自動配置を行う場合には、配管の用途として冷媒管を設定する。
（オ）設計図上に配置された冷媒管の傍記の表示状態。
（カ）最低取出長。
（キ）第１機器離れ、及び、第２機器離れ。
【００４１】
Ｓ２４５では、冷媒管の経路の始点の入力が受け付けられる。なお、設計図上の任意の位置や、設計図に配された他の機器（例えば、室外機や、冷媒管ヘッダーや、冷媒を制御するための各種装置等）の接続口や、他の冷媒管上の位置や、他の冷媒管の経路に設けられた分岐配管等を始点とすることができる。
【００４２】
ここで、他の機器の接続口や分岐配管が始点となる場合には、該機器や分岐配管に応じて自動配置する冷媒管の種類と主管の太さ（設定項目（ア），（ウ））を設定すると共に、該接続口や分岐配管のＦＬを配置面のＦＬ（設定項目（イ））としても良い。
【００４３】
また、他の冷媒管上の端部が始点となる場合には、該冷媒管を延長させることで自動配置を行っても良い。一方、他の冷媒管における端部以外が始点となる場合には、該始点に分岐配管を新たに配置し、該分岐配管を始点として冷媒管の自動配置を行っても良い。この時、新たに配置される分岐配管に応じて自動配置する冷媒管の種類と主管の太さ（設定項目（ア），（ウ））を設定すると共に、始点が指定された冷媒管のＦＬを配置面のＦＬ（設定項目（イ））としても良い。
【００４４】
Ｓ２５０では、始点判定処理により、入力された位置を始点とすることができるか否かが判定される。そして、Ｓ２５５では、始点判定処理での判定結果に基づき、入力された位置を始点とする冷媒管の経路パターンを生成可能か否かが判定され、肯定判定の場合にはＳ２６０に、否定判定の場合にはＳ２４５に移行する。
【００４５】
そして、Ｓ２６０では、生成可能と判定された冷媒管の経路パターンを生成し、設計対象の平面図上に生成した経路パターンを表示する経路パターン生成処理が行われる。この時、複数の経路パターンが生成された場合には、該平面図上に複数の経路パターンを同時に表示しても良いし、ユーザからの指示に応じて、各経路パターンを順次表示しても良い。また、平面図上に限らず、設計対象の側面図上で経路パターンを表示しても良いし、立体的な設計図上で経路パターンを表示しても良い。また、この時、設計図上の室内機や冷媒管の経路に隣接して、傍記（冷媒管や太さや配置面の高さ等）を表示しても良い。なお、経路パターンを生成する処理の具体例については、詳細は後述する。その後、ユーザによる冷媒管の経路パターンの選択が受け付けられ（Ｓ２６５）、選択された経路パターンが配置された設計図を生成して表示した後、本処理は終了する。
【００４６】
（４）始点判定処理について
次に、ユーザにより入力された位置を始点とするとすることができるか否かを判定する始点判定処理について、図５（ａ）のフローチャートを用いて説明する。なお、本処理は、自動生成処理からコールされる。
【００４７】
Ｓ３００では、入力された始点が、他の機器の接続口や、他の冷媒管上の位置や、他の冷媒管の経路に設けられた分岐配管等であるか否かが判定される。そして、肯定判定の場合には、他の機器の接続口等が始点に設定され（Ｓ３０５）、否定判定の場合には、指定された設計図上の位置が始点に設定される（Ｓ３１０）。
【００４８】
Ｓ３１５では、入力された始点が位置する領域（始点領域）が判別される。すなわち、自動配置により冷媒管に接続される行列をなす室内機の周辺のうち、四隅（左上，右上，右下，左下）に位置する室内機が頂点に位置する矩形の領域を内部領域とすると共に、他の領域を外部領域とする。図５（ｂ）は、一例として、２×２の行列をなす室内機４００〜４０３の周辺に形成された内部領域４１０を示しており、内部領域４１０以外の領域は外部領域となる。また、外部領域のうち、上側の室内機４００，４０１と同じ横幅を有し、これらの室内機の上方に向かって伸びる帯状の領域を上方帯状領域とし、下側の室内機４０２，４０３と同じ横幅を有し、これらの室内機の下方に向かって伸びる帯状の領域を下方帯状領域とする。また、外部領域のうち、右側の室内機４０１，４０２と同じ縦幅を有し、これらの室内機の右方に向かって伸びる帯状の領域を右方帯状領域とし、左側の室内機４００，４０３と同じ縦幅を有し、これらの室内機の左方に向かって伸びる帯状の領域を左方帯状領域とする。
【００４９】
そして、左上の室内機４００に隣接する上方帯状領域と左方帯状領域とに挟まれた領域を、左上領域４２０とする。また、左上の室内機４００に隣接する上方帯状領域と、右上の室内機４０１に隣接する上方帯状領域とに挟まれた領域を、上中間領域４２１とする。また、右上の室内機４０１に隣接する上方帯状領域と右方帯状領域とに挟まれた領域を、右上領域４２２とする。また、右上の室内機４０１に隣接する右方帯状領域と、右下の室内機４０２に隣接する右方帯状領域とに挟まれた領域を、右中間領域４２３とする。また、右下の室内機４０２に隣接する右方帯状領域と下方帯状領域とに挟まれた領域を、右下領域４２４とする。また、右下の室内機４０２に隣接する下方帯状領域と、左下の室内機４０３に隣接する下方帯状領域とに挟まれた領域を、下中間領域４２５とする。また、左下の室内機４０３に隣接する下方帯状領域と左方帯状領域とに挟まれた領域を、左下領域４２６とする。また、左下の室内機４０３に隣接する左方帯状領域と、左上の室内機４００に隣接する左方帯状領域とに挟まれた領域を、左中間領域４２７とする。これらの領域４２０〜４２７が、始点を設定可能な領域となる。
【００５０】
なお、冷媒管を接続する室内機が２×２以外の行列状に配されている場合も、同様にして、四隅の室内機に隣接する左上領域，右上領域，右下領域，左下領域と、外縁に位置する各室内機に隣接する帯状領域に挟まれた中間領域が、始点を設定可能な領域となる。
【００５１】
また、室内機が列をなしている場合には、左端の室内機に隣接する左方帯状領域と上方帯状領域とに挟まれた領域が左上領域に、該室内機に隣接する左方帯状領域と下方帯状領域とに挟まれた領域が左下領域に、右端の室内機に隣接する右方帯状領域と上方帯状領域とに挟まれた領域が右上領域に、該室内機に隣接する右方帯状領域と下方帯状領域とに挟まれた領域が右下領域となる。そして、左上領域，右上領域，右下領域，左下領域と、各室内機に隣接する帯状領域に挟まれた中間領域が、始点を設定可能な領域となる。
【００５２】
Ｓ３２０では、始点領域が領域４２０〜４２７のいずれかである場合には、始点領域や入力された位置と室内機の位置関係に基づき、該位置を始点として各経路パターンが生成可能かどうか判定される（詳細は後述する）。一方、始点領域が領域４２０〜４２７のいずれでもない場合には、経路パターンは生成不可能と判定され、本処理は終了となる。
【００５３】
（５）経路パターンを生成可能か否かの判定について
次に、始点判定処理のＳ３２０における経路パターンを生成可能か否かの判定方法について、詳しく説明する。
【００５４】
始点領域が左上領域，右上領域，右下領域，左下領域のいずれかである場合には、４通りの経路パターンについて生成が可能か否か判定される。これらの４通りの経路パターンとは、主管が第１方向に延びている主管分岐パターン（第１主管−主管分岐パターン）と、主管が第１方向に延びている枝管分岐パターン（第１主管−枝管分岐パターン）と、主管が第２方向に延びている主管分岐パターン（第２主管−主管分岐パターン）と、主管が第２方向に延びている枝管分岐パターン（第２主管−枝管分岐パターン）である。
【００５５】
一方、始点領域が内部領域を挟んで第１方向に沿って対面するいずれかの中間領域の場合には、第１主管−主管分岐パターンと第１主管−枝管分岐パターンの２通りの経路パターンが生成可能か否か判定される。また、始点領域が内部領域を挟んで第２方向に沿って対面するいずれかの中間領域の場合には、第２主管−主管分岐パターンと第２主管−枝管分岐パターンの２通りの経路パターンが生成可能か否か判定される。
【００５６】
そして、配置条件（ア）〜（オ）を全て満たした状態で、判定対象となる経路パターンにより始点と各室内機の接続口を繋ぐことができるか否か判定される。以下では、始点領域が左下領域の場合の判定方法の一例を示す。なお、以下の例では、最低取出長は０に設定されている。
【００５７】
まず、第２主管−枝管分岐パターンの判定方法について説明する。
最初に、第２主管−枝管分岐パターンにおける始点６００と左下の室内機６０１の接続口６０１ａとを繋ぐ区間が生成される（図６（ａ），（ｂ））。該区間は、配置面に配された直線区間（主管区間）６０２，曲線区間６０３，６０４及び分岐配管６０６，６０７と、接続区間６０５ａ，６０５ｂから構成される。接続区間６０５ｂは、接続口６０１ａに繋がっている第１方向に沿った曲線区間であり、接続区間６０５ａは、第２方向に沿って配され、接続区間６０５ｂと曲線区間６０４とを繋ぐ曲線区間である。
【００５８】
ここで、図６（ａ）において、始点６００と接続口６０１ａとの間の第２方向の距離をａ２とする。
また、
Ｂ＝ｘ２（室内機６０１の左側の縁部と接続口６０１ａとの間の第２方向の距離）＋第２機器離れ＋最小Ｒ（曲線区間６０３）＋分岐サイズ（分岐配管６０６の長さ）
Ｃ＝最小Ｒ（接続区間６０５ａ）＋最小Ｒ（曲線区間６０４）＋最小Ｒ（曲線区間６０３）＋分岐サイズ（分岐配管６０６の長さ）
とする。
【００５９】
そして、ＢとＣの値のうち、大きい方をＤとする。ａ２がＤより大きい場合には、配置条件（イ）及び（ウ）を充足して第２主管−枝管分岐パターンを生成可能だが、そうでない場合には、配置条件（イ）又は（ウ）が充足されない可能性がある。このため、ａ２がＤ以下の場合には、第２主管−枝管分岐パターンを生成不可能と判定する。
【００６０】
続いて、図６（ｂ）において、始点６００と接続口６０１ａとの間の第１方向の距離をａ１とする。
また、
Ｅ＝ｘ１（室内機６０１の下側の縁部と接続口６０１ａとの間の第１方向の距離）＋第１機器離れ＋最小Ｒ（曲線区間６０４）＋分岐サイズ（分岐配管６０７の長さ）＋最小Ｒ（曲線区間６０３）
Ｆ＝最小Ｒ（接続区間６０５ｂ）＋最小Ｒ（曲線区間６０４）＋分岐サイズ（分岐配管６０７の長さ）＋最小Ｒ（曲線区間６０３）
とする。
【００６１】
そして、ＥとＦの値のうち、大きい方をＧとする。ａ１がＧより大きい場合には、配置条件（イ）及び（ウ）を充足して第２主管−枝管分岐パターンを生成可能だが、そうでない場合には、配置条件（イ）又は（ウ）が充足されない可能性がある。このため、ａ１がＧ以下の場合には、第２主管−枝管分岐パターンを生成不可能と判定する。
【００６２】
次に、第２主管−主管分岐パターンの判定方法について説明する。
最初に、第２主管−主管分岐パターンにおける始点６１０と左下及び左上の室内機６１１，６２０の接続口６１１ａ，６２０ａとを繋ぐ区間が生成される（図７（ａ），（ｂ））。始点６１０と左下の室内機６１１の接続口６１１ａを繋ぐ区間は、配置面に配された直線区間（主管区間）６１２，６１３，直線区間（第１枝管区間）６１５，曲線区間６１４及び分岐配管６１７，６１８と、接続区間６１６ａ，６１６ｂから構成される。接続区間６１６ｂは、接続口６１１ａに繋がっている第１方向に沿った曲線区間であり、接続区間６１６ａは、第１方向に沿って配され、接続区間６１６ｂと直線区間６１５とを繋ぐ曲線区間である。
【００６３】
また、始点６１０と左上の室内機６２０の接続口６２０ａとを繋ぐ区間は、配置面に配された直線区間（主管区間）６１２，直線区間（第１枝管区間）６２２，曲線区間６２１，６２３及び分岐配管６１７と、接続区間６２４ａ，６２４ｂから構成される。接続区間６２４ｂは、接続口６２０ａに繋がっている第１方向に沿った曲線区間であり、接続区間６２４ａは、第２方向に沿って配され、接続区間６２４ｂと曲線区間６２３とを繋ぐ曲線区間である。
【００６４】
ここで、図７（ａ）において、始点６１０と接続口６１１ａとの間の第２方向の距離をａ２とする。
また、
Ｂ＝ｘ２（室内機６１１の左側の縁部と接続口６１１ａとの間の第２方向の距離）＋第２機器離れ＋最小Ｒ（曲線区間６２１）＋分岐サイズ（分岐配管６１７の長さ）
Ｃ＝最小Ｒ（接続区間６２４ａ）＋最小Ｒ（曲線区間６２３）＋最小Ｒ（曲線区間６２１）＋分岐サイズ（分岐配管６１７の長さ）
とする。
【００６５】
なお、図７（ａ）は、室内機が２行の場合を例示しており、上記Ｂ，Ｃの算出式は、室内機が２行の場合のものとなっている。行数が３行以上の場合、上記算出式により得られた値に（行数−１）を乗算した値がＢ，Ｃの値となる。
【００６６】
そして、ＢとＣの値のうち、大きい方をＤとする。ａ２がＤより大きい場合には、配置条件（イ）及び（ウ）を充足して第２主管−主管分岐パターンを生成可能だが、そうでない場合には、配置条件（イ）又は（ウ）が充足されない可能性がある。このため、ａ２がＤ以下の場合には、第２主管−主管分岐パターンを生成不可能と判定する。
【００６７】
続いて、図７（ｂ）において、始点６１０と接続口６１１ａとの間の第１方向の距離をａ１とする。
また、
Ｅ＝ｘ１（室内機６１１の下側の縁部と接続口６１１ａとの間の第１方向の距離）＋第１機器離れ＋最小Ｒ（接続区間６１６ａ）＋最小Ｒ（曲線区間６１４）
Ｆ＝最小Ｒ（接続区間６１６ｂ）＋最小Ｒ（接続区間６１６ａ）＋最小Ｒ（曲線区間６１４）
とする。
【００６８】
そして、ＥとＦの値のうち、大きい方をＧとする。ａ１がＧより大きい場合には、配置条件（イ）及び（ウ）を充足して第２主管−主管分岐パターンを生成可能だが、そうでない場合には、配置条件（イ）又は（ウ）が充足されない可能性がある。このため、ａ１がＧ以下の場合には、第２主管−主管分岐パターンを生成不可能と判定する。
【００６９】
次に、始点領域が右上領域の場合の判定方法の一例を示す。なお、以下の例では、最低取出長は０に設定されている。また、ここでは、第２主管−枝管分岐パターンの判定方法について説明する。
【００７０】
最初に、第２主管−枝管分岐パターンにおける始点６３０と右上の室内機６３１の接続口６３１ａとを繋ぐ区間が生成される（図８（ａ），（ｂ））。該区間は、配置面に配された直線区間（主管区間）６３２，直線区間（第１枝管区間）６３４，６３６，曲線区間６３３，６３５及び分岐配管６３８，６３９と、接続区間６３７ａ，６３７ｂから構成される。接続区間６３７ｂは、接続口６３１ａに繋がっている第１方向に沿った曲線区間であり、接続区間６３７ａは、第２方向に沿って配され、接続区間６３７ｂと直線区間６３６とを繋ぐ曲線区間である。
【００７１】
ここで、図８（ａ）において、始点６３０と接続口６３１ａとの間の第２方向の距離をａ２とする。
また、
Ｂ＝ｘ２（室内機６３１の右側の縁部と接続口６３１ａとの間の第２方向の距離）＋第２機器離れ＋最小Ｒ（曲線区間６３３）＋分岐サイズ（分岐配管６３８の長さ）
Ｃ＝最小Ｒ（接続区間６３７ａ）＋最小Ｒ（曲線区間６３５）＋最小Ｒ（曲線区間６３３）＋分岐サイズ（分岐配管６３８の長さ）
とする。
【００７２】
そして、ＢとＣの値のうち、大きい方をＤとする。ａ２がＤより大きい場合には、配置条件（イ）及び（ウ）を充足して第２主管−枝管分岐パターンを生成可能だが、そうでない場合には、配置条件（イ）又は（ウ）が充足されない可能性がある。このため、ａ２がＤ以下の場合には、第２主管−枝管分岐パターンを生成不可能と判定する。
【００７３】
続いて、図８（ｂ）において、始点６３０と接続口６３１ａとの間の第１方向の距離をａ１とする。
また、
Ｅ＝ｘ１（室内機６３１の上側の縁部と接続口６３１ａとの間の第１方向の距離）＋第１機器離れ
Ｆ＝分岐サイズ（分岐配管６３９の長さ）＋最小Ｒ（曲線区間６３３）
とする。
【００７４】
そして、ＥとＦの値のうち、大きい方をＧとする。ａ１がＧより大きい場合には、配置条件（イ）及び（ウ）を充足して第２主管−枝管分岐パターンを生成可能だが、そうでない場合には、配置条件（イ）又は（ウ）が充足されない可能性がある。このため、ａ１がＧ以下の場合には、第２主管−枝管分岐パターンを生成不可能と判定する。
【００７５】
なお、冷媒管に接続される室内機の接続口がｘｙ平面上におけるｘ軸の負の方向に向いているケースや、正の方向に向いているケースや、ｙ軸の負の方向に向いているケースや、正の方向に向いているケース等、様々なケースが想定される。各ケースについて場合分けを行って、各経路パターンを生成可能か否か判定しても良い。
【００７６】
また、例えば、最小Ｒや機器離れや分岐サイズ等を考慮することなく、始点と室内機の接続口との間の第１，第２方向の距離に基づき、各経路パターンが生成可能か否かを判定しても良い。具体的には、始点と、始点に最も近接する室内機の接続口との間の第１方向の距離と第２方向の距離とが閾値以上である場合には、各経路パターンを生成可能と判定しても良い。なお、該閾値は、始点領域や判定対象となる経路パターンに応じて設定されても良い。
【００７７】
（６）経路パターン生成処理について
次に、自動生成処理のＳ２６０における経路パターン生成処理について説明する。経路パターン生成処理では、配置条件（ア）〜（オ）を全て充足した状態で、始点判定処理にて生成可能と判定された経路パターンが生成される。
【００７８】
具体的には、まず、最低取出長が０でない場合には、各室内機の接続口から延びる最低取出長の長さの直線区間と、該直線区間の端部から上方に曲がる曲線区間とが生成される（一方、最低取出長が０の場合、接続口から上方に曲がる曲線区間が生成される）。その後、各室内機の接続口から延びる区間と始点とを繋ぐ経路パターンが生成される。このとき、始点の位置に基づき、経路パターンを構成する各直線区間の長さ等が調整される。また、枝管区間を設定する場合には、起点となる位置に分岐配管が配される。
【００７９】
ここで、室内機が２×２の行列をなしており、始点が左下領域に存在し、最低取出長が０に設定されている場合における第２主管−枝管分岐パターンの経路の生成方法について、図９を用いて具体的に説明する。
【００８０】
（１）室内機７００〜７０３の接続口から下方に延びる曲線区間７１０〜７１３が生成される（図９（ａ））。曲線区間７１０〜７１３は、ｚ軸方向における上方に向かって曲がっている。
【００８１】
ここで、室内機７００の接続口７００ａと、曲線区間７１０の端部との間の第１方向の距離をａ１とする（図９（ｂ））。また、
Ｂ＝最小Ｒ
Ｃ＝ｘ１（室内機７００の下側の縁部と接続口７００ａとの間の第１方向の距離）＋第１機器離れ
とする。
【００８２】
ａ１は、ＢとＣとのうちの大きい方の値となる。これにより、配置条件（イ）及び（ウ）を充足することができる。なお、他の室内機７０１〜７０３においても、同様にして曲線区間７１１〜７１３の長さが設定される。
【００８３】
（２）次に、新たな区間７１０ａ〜７１３ａを加えることで、曲線区間７１０〜７１３が延長される（図９（ｃ））。区間７１０ａ〜７１３ａは、元の曲線区間７１０〜７１３の端部と配置面に配される経路を繋ぐ曲線区間と、配置面に配された直線区間により構成される。なお、該直線区間の全部または一部は、最終的に、左端が図中の下方に曲がる曲線区間に置き換えられる。
【００８４】
ここで、室内機７００に繋がる区間７１０ａの第２方向の距離をａ２とする（図９（ｄ））。また、
Ｄ＝ｘ２（室内機７００の左側の縁部と接続口７００ａとの間の第２方向の距離）＋第２機器離れ
Ｅ＝最小Ｒ＋最小Ｒ
とする。
【００８５】
ａ２は、ＤとＥとのうちの大きい方の値となる。これにより、上記直線区間が上記曲線区間に置き換えられた際に、配置条件（イ）及び（ウ）を充足することができる。なお、他の室内機７０１〜７０３においても、同様にして区間７１１ａ〜７１３ａの長さが設定される。
【００８６】
（３）次に、先に設定された区間を延長して枝管区間７１０〜７１３が生成されると共に、枝管区間と始点とを繋ぐ主管区間７１４が生成される。この時、区間７１０，７１２は室内機７０２の下方に配された分岐配管に、区間７１１，７１３は室内機７０３の下方に配された分岐配管に接続されるよう、これらの区間の第２方向の位置が調整される。また、区間７１２，７１４は、始点７２０の右方に配された分岐配管に接続されるよう、第１方向の位置が調整される。これにより、第２主管−枝管分岐パターンの生成が完了する。
【００８７】
また、同様の場合における第２主管−主管分岐パターンの経路の生成方法について、図１０を用いて具体的に説明する。
（１）まず、室内機７５０〜７５３の接続口から下方に延びる曲線区間７６０〜７６３が生成される（図１０（ａ））。曲線区間７６０〜７６３は、ｚ軸方向における上方に向かって曲がっている。
【００８８】
ここで、室内機７５０の接続口７５０ａと、曲線区間７６０の端部との間の第１方向の距離をａ１とする（図１０（ｂ））。また、
Ｂ＝最小Ｒ
Ｃ＝ｘ１（室内機７５０の下側の縁部と接続口７５０ａとの間の第１方向の距離）＋第１機器離れ
とする。
【００８９】
ａ１は、ＢとＣとのうちの大きい方の値となる。これにより、配置条件（イ）及び（ウ）を充足することができる。なお、他の室内機７５１〜７５３においても、同様にして曲線区間７６１〜７６３の長さが設定される。
【００９０】
（２）次に、室内機７５２，７５３の接続口に繋がっている曲線区間７６２，７６３を延長して第１枝管区間７６２，７６３が生成されると共に、これらの枝管区間と始点７７０とを繋ぐ主管区間７６４が生成される（図１０（ｃ））。
【００９１】
（３）次に、室内機７５０，７５１の接続口に繋がっている曲線区間７６０，７６１を延長して、主管区間７６４と室内機７５０，７５１を繋ぐ第１枝管区間７６０，７６１が生成される（図１０（ｄ））。
【００９２】
ここで、室内機７５０に繋がる第１枝管区間７６０を構成する２つの曲線区間７６０ａ，７６０ｂの第２方向の距離をａ２とする（図１０（ｅ））。また、
Ｄ＝ｘ２（室内機７５０の左側の縁部と接続口７５０ａとの間の第２方向の距離）＋第２機器離れ
Ｅ＝最小Ｒ＋最小Ｒ
とする。
【００９３】
ａ２は、ＤとＥとのうちの大きい方の値となる。これにより、配置条件（イ）及び（ウ）を充足しながら第１枝管区間７６０を生成することができる。なお、同様にして、第１枝管区間７６１を構成する曲線区間の長さが設定される。
【００９４】
これにより、第２主管−主管分岐パターンの生成が完了する。
なお、上記Ｄ，Ｅの算出式は、室内機が２行の場合のものとなっているが、室内機が３行以上の場合には、主管区間７６４における始点７７０と分岐配管７６４ａとの間に、行数−２個の分岐配管がさらに配される。また、分岐配管７６４ａから延びる第１枝管区間７６０と同様、この分岐配管には曲線区間が繋がった状態になる。このため、行数が３行以上の場合、上記Ｄ，Ｅの算出式により得られた値に（最小Ｒ＋分岐サイズ）×（行数−２）を加算した値が、Ｄ，Ｅの値となる。
【００９５】
［効果］
本実施形態の設計支援プログラムによれば、設計図上に室内機や始点を配置すると、これらを接続する複数種類の冷媒管の経路パターンが生成され、ユーザに提示される。このため、ユーザは、提示された経路パターンの中から自分の要望に合致するものを選択して使用することができ、冷媒管を配置する際の作業負担を低減することができる。
【００９６】
［他の実施形態］
（１）本実施形態では、冷媒管の自動配置について説明したが、設計支援プログラムは、冷媒管以外の配管やケーブル等についても同様にして自動配置を行っても良い。このような場合であっても、同様の効果を得ることができる。
【００９７】
（２）本実施形態の設計支援プログラムは、主管分岐パターンと枝管分岐パターンの２種類の経路パターンを生成するが、これらに限らず、様々な種類の経路パターンを生成しても良い。
【００９８】
また、本実施形態にて生成される経路パターンは、第１又は第２方向の直線区間と、中心角が９０°の扇の弧をなす曲線区間とから構成されている。しかしながら、これに限らず、経路パターンは、直線区間のみから構成されていても良いし、第１又は第２方向以外の方向の直線区間を有していても良いし、中心角が９０°以外の角度の扇の弧をなす曲線区間を有していても良い。
【００９９】
また、本実施形態では、内部領域や帯状領域には始点を設定することができないが、これに限らず、これらの領域に始点が設定された場合にも経路が自動配置されるようにしても良い。
【０１００】
このような場合であっても、同様の効果を得ることができる。
（３）本実施形態における１つの構成要素が有する機能を複数の構成要素として分散させたり、複数の構成要素が有する機能を１つの構成要素に統合させたりしても良い。また、本実施形態の構成の少なくとも一部を、同様の機能を有する公知の構成に置き換えてもよい。また、本実施形態の構成の一部を省略してもよい。また、本実施形態の構成の少なくとも一部を、他の本実施形態の構成に対して付加又は置換してもよい。なお、特許請求の範囲に記載した文言のみによって特定される技術思想に含まれるあらゆる態様が本発明の実施形態である。
【０１０１】
（４）上述した設計支援プログラムや設計支援装置の他、この設計支援プログラムを記録した媒体や、自動生成処理，始点判定処理に相当する方法など、種々の形態で本発明を実現することもできる。
【０１０２】
［特許請求の範囲との対応］
上記実施形態の説明で用いた用語と、特許請求の範囲の記載に用いた用語との対応を示す。
【０１０３】
自動生成処理のＳ２４５が配置手段の一例に、Ｓ２６０が生成手段，提示手段の一例に相当する。
【符号の説明】
【０１０４】
１…ＰＣ、１０…ディスプレイ、２０…ＨＤＤ、３０…ＣＰＵ、４０…ＲＯＭ、５０…ＲＡＭ、６０…キーボード、７０…ホイールマウス。
【図１】
2016085565.tif 000003
【図２】
2016085565.tif 000004
【図３】
2016085565.tif 000005
【図４】
2016085565.tif 000006
【図５】
2016085565.tif 000007
【図６】
2016085565.tif 000008
【図７】
2016085565.tif 000009
【図８】
2016085565.tif 000010
【図９】
2016085565.tif 000011
【図１０】
2016085565.tif 000012